(57)【要約】【課題】本発明の目的は、取り扱いやすい吊り下げデバイスを提供することにある。【解決手段】包装体１４の開口２８ａ、２８ｂに取り外し可能に取り付けられる吊り下げデバイス１６であって、吊り下げデバイス１６は、連結フラップ３２と、連結フラップ３２と連結されたトート本体３４とを備え、連結フラップ３２は包装体１４の開口２８ａ、２８ｂと取り外し可能に係合する少なくとも１つの係合機構３７を有し、少なくとも１つの係合機構３７は、包装体１４の開口２８ａ、２８ｂに配置される主タブ３８ａ、３８ｂと、主タブ３８ａ、３８ｂと連結された補助タブ４０ａ、４０ｂとを備え、主タブ３８ａ、３８ａは連結フラップ３２に仮想線周りにヒンジ式に連結されており、吊り下げデバイス１６が展開された形態にあるときに補助タブ４０ａ、４０ｂは前記仮想線から主タブ３８ａ、３８ｂの延在方向とは反対方向に延在している吊り下げデバイス１６。【選択図】図１
2020083447.tif 000002
【特許請求の範囲】
【請求項１】
包装体の開口に取り外し可能に取り付けられる吊り下げデバイスであって、
前記吊り下げデバイスは、連結フラップと、前記連結フラップと連結されたトート本体と、を備え、
前記連結フラップは、前記包装体の開口と取り外し可能に係合する少なくとも１つの係合機構を有し、
前記少なくとも１つの係合機構は、前記包装体の開口に配置される主タブと、前記主タブと連結された補助タブと、を備え、
前記主タブは、前記連結フラップに、仮想線の周りにヒンジ式に連結されており、
前記吊り下げデバイスが展開された形態にあるときに、前記補助タブは、前記仮想線から、前記主タブの延在方向とは反対方向に延在している吊り下げデバイス。
【請求項２】
前記主タブは、主タブ用の折目線に沿って、前記連結フラップに連結されており、
前記補助タブは、補助タブ用の折目線に沿って、前記主タブに連結されており、
前記主タブ用の折目線は、前記補助タブ用の折目線と、同一の前記仮想線上に整列されている請求項１に記載の吊り下げデバイス。
【請求項３】
前記少なくとも１つの係合機構は、互いに対向する構成で配置された１対の係合機構を備え、
前記吊り下げデバイスが展開された形態にあるときに、前記係合機構の各補助タブは、対応する前記主タブから、互いに向かうように延在している請求項１に記載の吊り下げデバイス。
【請求項４】
前記トート本体は、トート本体用の折目線に沿って、前記連結フラップと連結されており、
前記補助タブ用の折目線は、前記トート本体用の折目線に対して、直角方向に配置されている請求項２に記載の吊り下げデバイス。
【請求項５】
前記トート本体は、トート本体用の折目線に沿って、前記連結フラップと連結されており、
前記仮想線は、前記トート本体用の折目線に対して、平行方向に配置されている請求項１に記載の吊り下げデバイス。
【請求項６】
前記少なくとも１つの係合機構は、前記連結フラップから、少なくとも部分的に打ち抜かれている請求項１に記載の吊り下げデバイス。
【請求項７】
少なくとも１つの被包装体と、前記少なくとも１つの被包装体の周りに少なくとも部分的に配置された包装体であるカートンと、前記カートンに取り外し可能に取り付けられた吊り下げデバイスと、を備えるパッケージであって、
前記カートンは、互いにヒンジ式に連結された複数の壁パネルを備え、
前記複数の壁パネルは、持ち運び用のハンドルを有する頂壁パネルを備え、前記持ち運び用のハンドルは、少なくとも１つの指掛け用の開口を有し、
前記吊り下げデバイスは、前記カートンの外部の少なくとも一部に沿って配置されたトート本体と、前記カートンの少なくとも１つの指掛け用の開口と係合された少なくとも１つの係合機構を有する連結フラップと、を備え、
前記少なくとも１つの係合機構は、少なくとも１つの指掛け用の開口に配置された主タブと、前記主タブと連結された補助タブと、を備え、
前記主タブは、前記連結フラップに、仮想線の周りにヒンジ式に連結されており、
前記吊り下げデバイスが展開された形態にあるときに、前記補助タブは、前記仮想線から、前記主タブの延在方向とは反対方向に延在しているパッケージ。
【請求項８】
前記複数の壁パネルは、少なくとも１つの開放端を有する筒状構造を画定しており、
前記トート本体は、前記トート本体が前記筒状構造の少なくとも１つの開放端を少なくとも部分的に閉じるような位置に設けられている請求項７に記載のパッケージ。
【発明の詳細な説明】
【技術分野】
【０００１】
本発明は吊り下げデバイス及びパッケージ、特に吊り下げデバイスの係合機構の改良に関するものである。
【背景技術】
【０００２】
従来より、飲料が充填された円筒缶詰などの被包装体を包装するパッケージが知られている（例えば特許文献１〜３）。近年、パッケージの中でも、同一の被包装体を２個以上まとめることのできるマルチパックが、特に注目されている。
【０００３】
包装材料には、主に板紙が多く使われている。板紙などの包装材料で、被包装体を上からくるみ込み下でロック封緘することにより、パッケージが完成される。
【０００４】
このようなパッケージによれば、被包装体を簡便に包装することができる、被包装体の持ち運びが容易になる、ディスプレイ効果がある等の利点を有する。
【先行技術文献】
【特許文献】
【０００５】
【特許文献１】米国特許第３４３２０２９号明細書
【特許文献２】米国特許第５３１１９９４号明細書
【特許文献３】国際公開第２００６／０８３９４１号
【発明の概要】
【発明が解決しようとする課題】
【０００６】
このような各種利点を有するパッケージにあっても、被包装体の広告効果を、さらに高めることが求められている。このような要望に応えるため、広告などが表示された吊り下げデバイスを、パッケージに追加することが考えられる。
【０００７】
しかしながら、吊り下げデバイスの取り扱いやすさは、改善の余地が残されていた。
すなわち、パッケージに取り付けられた吊り下げデバイスは、持ち運びの際などにパッケージから外れてしまうことがあるので、十分な注意が必要であり、取り扱いが面倒であった。
【０００８】
そこで、従来は、持ち運びの際などに吊り下げデバイスがパッケージから外れてしまうのを防ぐために、パッケージに吊り下げデバイスを、よりしっかり固定することも考えられる。
しかしながら、パッケージに吊り下げデバイスをしっかり固定してしまうと、パッケージを開封する際などにパッケージから吊り下げデバイスを取り外すのが難しくなってしまうことがあり、取り扱いが面倒であった。
【０００９】
このように、従来は、一の吊り下げデバイスで、パッケージから外れにくくすることと、パッケージから外れやすくすることとを両立するのは困難であった。
このため、広告効果に優れた吊り下げデバイスにあっても、取り扱いやすさについては改善の余地が残されていたものの、従来は、これを解決することのできる適切な技術が存在しなかった。
【００１０】
本発明は前記従来技術の課題に鑑みなされたものであり、その目的は取り扱いやすい吊り下げデバイス及びパッケージを提供することにある。
【課題を解決するための手段】
【００１１】
＜吊り下げデバイス＞
前記目的を達成するために本発明にかかる吊り下げデバイスは、包装体の開口に取り外し可能に取り付けられる吊り下げデバイスであって、連結フラップと、トート本体と、を備える。
【００１２】
ここで、前記連結フラップは、少なくとも１つの係合機構を有する。
前記少なくとも１つの係合機構は、前記包装体の開口と取り外し可能に係合する。
前記少なくとも１つの係合機構は、前記包装体の開口に配置される主タブと、前記主タブと連結された補助タブと、を備える。
前記主タブは、前記連結フラップに、仮想線周りにヒンジ式に連結されている。ここにいう「仮想線」とは、文字通り想像上の線であり実際には目視できない。
前記吊り下げデバイスが展開された形態にあるときに、前記補助タブは、前記仮想線から前記主タブの延在方向とは反対方向に延在している。
【００１３】
また、前記トート本体は、前記連結フラップと連結されている。
【００１４】
本発明において、主タブ用の折目線および／または補助タブ用の折目線が使用される場合、これら折目線は前記仮想線上に延在する。ただし、どちらの折り目線も必要であれば省略可能である。
本発明において、主タブは、包装体の開口に取り外し可能に取り付けられる大きさとすることが好適である。
本発明において、補助タブは、主タブよりも小さくすることが好適である。
本発明において、補助タブ用の折目線は、主タブ用の折目線よりも短くすることが好適である。
本発明において、主タブ用の折目線の中心と補助タブ用の折目線の中心とを一致させることが好適である。
本発明において、主タブ用の折目線と補助タブ用の折目線とは、補助タブ用の折目線を間に挟んで、主タブ用の折目線の一端側と他端側とが対向配置されるように設けられることが好適である。
【００１５】
なお、本発明にかかる吊り下げデバイスにおいて、前記主タブは、主タブ用の折目線に沿って、前記連結フラップに連結されており、
前記補助タブは、補助タブ用の折目線に沿って、前記主タブに連結されており、
前記主タブ用の折目線は、前記補助タブ用の折目線と同一の仮想線上に整列されていることが好適である。すなわち、前記主タブ用の折目線と前記補助タブ用の折目線とは、同一の直線上に整列されていることが好適である。
【００１６】
本発明にかかる吊り下げデバイスにおいて、前記少なくとも１つの係合機構は、互いに対向する構成で配置された１対の係合機構を備え、
前記吊り下げデバイスが展開された形態にあるときに、前記係合機構の各補助タブは、対応する前記主タブから、互いに向かうように延在していることが好適である。
【００１７】
本発明にかかる吊り下げデバイスにおいて、前記トート本体は、トート本体用の折目線に沿って、前記連結フラップと連結されており、
前記補助タブ用の折目線は、前記トート本体用の折目線に対して、直角方向に配置されていることも好適である。
【００１８】
本発明にかかる吊り下げデバイスにおいて、前記トート本体は、トート本体用の折目線に沿って、前記連結フラップと連結されており、
前記仮想線は、前記トート本体用の折目線に対して、平行方向に配置されていてもよい。
【００１９】
本発明にかかる吊り下げデバイスにおいて、前記少なくとも１つの係合機構は、前記連結フラップから、少なくとも部分的に打ち抜かれていることも好適である。
【００２０】
＜パッケージ＞
また、前記目的を達成するために本発明にかかるパッケージは、被包装体と、カートンと、吊り下げデバイスと、を備える。
ここで、前記被包装体は、少なくとも１つの被包装体である。
また、前記カートンは、前記少なくとも１つの被包装体の周りに少なくとも部分的に配置された包装体である。
前記吊り下げデバイスは、前記カートンに取り外し可能に取り付けられている。
前記カートンは、互いにヒンジ式に連結された複数の壁パネルを備える。
前記複数の壁パネルは、頂壁パネルを備える。
前記頂壁パネルは、持ち運び用のハンドルを有する。
前記持ち運び用のハンドルは、少なくとも１つの指掛け用の開口を有する。
また、前記吊り下げデバイスは、前記カートンの外部の少なくとも一部に沿って配置されたトート本体と、前記カートンの少なくとも１つの指掛け用の開口と係合された少なくとも１つの係合機構を有する連結フラップと、を備える。
前記少なくとも１つの係合機構は、少なくとも１つの指掛け用の開口に配置された主タブと、前記主タブと連結された補助タブと、を備える。
前記主タブは、前記連結フラップに、仮想線周りにヒンジ式に連結されている。ここにいう「仮想線」とは、想像上の線であり実際には目視できない。
前記吊り下げデバイスが展開された形態にあるときに、前記補助タブは、前記仮想線から前記主タブの延在方向とは反対方向に延在している。
【００２１】
なお、本発明にかかるパッケージにおいて、前記複数の壁パネルは、少なくとも１つの開放端を有する筒状構造を画定しており、
前記トート本体は、前記トート本体が前記筒状構造の少なくとも１つの開放端を少なくとも部分的に閉じるような位置に設けられていることも好適である。
【発明の効果】
【００２２】
請求項１に記載される吊り下げデバイスにおいては、同一の仮想線上に主タブ及び補助タブを配置することとしているので、一の吊り下げデバイスを、外れにくく又は外れやすくすることができる。
すなわち、主タブ及び補助タブが内折りされた形態にあるときに、吊り下げデバイスを、パッケージから外れにくくすることができる。一方、補助タブが外折りされた形態にあるときに、吊り下げデバイスを、パッケージから外れやすくすることができる。
このように請求項１に記載される吊り下げデバイスによれば、補助タブにより、一の吊り下げデバイスを、外れにくく又は外れやすくすることができるので、吊り下げデバイスの取り扱いが容易となる。
【００２３】
請求項２に記載される吊り下げデバイスにおいては、主タブ用の折目線と補助タブ用の折目線とが同一の直線（同一の仮想線）上に整列されることとしているので、上記した一の吊り下げデバイスの有する、外れにくい又は外れやすい効果を、より確実に得ることができる。
【００２４】
請求項３に記載される吊り下げデバイスにおいては、互いに向かい合った構成で配置された一対の係合機構を備えており、係合機構の各補助タブが対応する主タブから互いに向かい合うように延在することとしているので、上記した一の吊り下げデバイスの有する、外れにくい又は外れやすい効果を、より確実に得ることができる。
【００２５】
請求項４に記載される吊り下げデバイスにおいては、トート本体がトート本体用の折目線に沿って連結フラップと連結されており、補助タブ用の折目線がトート本体用の折目線に対して直角方向に配置されることとしているので、トート本体を包装体の所望部位に配置することができる。これにより、吊り下げデバイスの取り扱いが、より容易となる。
【００２６】
請求項５に記載される吊り下げデバイスにおいては、トート本体がトート本体用の折目線に沿って連結フラップと連結されており、主タブ用の折目線と補助タブ用の折目線とを通る仮想線が、トート本体用の折目線と平行方向に配置されることとしているので、請求項４に記載されるトート本体の配置とは異なる配置で、包装体の所望部位にトート本体を設けることができる。これにより、吊り下げデバイスの取り扱いが、より容易となる。
【００２７】
請求項６に記載される吊り下げデバイスにおいては、少なくとも１つの係合機構が連結フラップから少なくとも部分的に打ち抜かれることとしているので、係合機構の構成をより簡素化することができ、吊り下げデバイスの取り扱いを、より容易なものとすることができる。
【００２８】
請求項７に記載されるパッケージにおいては、本発明にかかる吊り下げデバイスを備えることとしているので、補助タブにより、一の吊り下げデバイスを、カートンから外れにくく又は外れやすくすることができ、吊り下げデバイスの取り扱いが容易となる。
【００２９】
請求項８に記載されるパッケージにおいては、トート本体が筒状構造の少なくとも１つの開放端を少なくとも部分的に閉じることができる。
【図面の簡単な説明】
【００３０】
【図１】本発明の第一実施形態にかかる吊り下げデバイスを用いたパッケージの外観斜視図である。
【図２】図１に示した吊り下げデバイスの展開された形態を示す平面図である。
【図３】図１に示した吊り下げデバイスの補助タブが内折りされた形態の説明図である。
【図４】図１に示した吊り下げデバイスの補助タブが外折りされた形態の説明図である。
【図５】本発明の第二実施形態にかかる吊り下げデバイスを用いたパッケージの外観斜視図である。
【図６】図５に示した吊り下げデバイスの展開された形態を示す平面図である。
【図７】本発明の一実施形態にかかるパッケージを構成するカートンの展開された形態を示す平面図である。
【図８】本発明の第三実施形態にかかる吊り下げデバイスを用いたパッケージの外観斜視図である。
【発明を実施するための形態】
【００３１】
以下、図面に基づいて本発明の好適な実施形態を説明する。
〔第一実施形態〕
＜パッケージ＞
図１には本発明の第一実施形態にかかるパッケージが示されている。
図１に示すパッケージ１０は、ビール缶（被包装体）１２と、カートン１４と、吊り下げデバイス１６と、を備える。
【００３２】
本実施形態では、本発明の被包装体として、６本のビール缶１２が、２×３の配列で並べられている。
【００３３】
本発明のカートンは、少なくとも１つの被包装体の周りに少なくとも部分的に配置された包装体である。本実施形態において、カートン１４は、２×３の配列で並べられたビール缶１２の周りに配置されている。本発明のカートンは、互いにヒンジ式に連結された、複数の壁パネルを備える。本実施形態では、複数の壁パネルとして、頂壁パネル１８と、側壁パネル２０、２２と、底壁パネル２４と、を備える。本実施形態において、カートン１４は、筒状構造のカートンであり、２つの解放端を有する。図１では、カートン１４の筒状構造の一方の解放端３０のみが見えている。
頂壁パネル１８は、持ち運び用のハンドル２６を有する。
持ち運び用のハンドル２６は、指掛け用の開口２８ａ、２８ｂを有する。
【００３４】
吊り下げデバイス１６は、カートン１４の頂壁パネル１８に形成された指掛け用の開口２８ａ、２８ｂに取り外し可能に取り付けられている。
吊り下げデバイス１６は、連結フラップ３２と、トート本体３４と、を備える。
【００３５】
連結フラップ３２は、係合機構３７を有する。
連結フラップ３２の係合機構３７は、カートン１４の頂壁パネル１８の持ち運び用ハンドル２６の指掛け用の開口２８ａ、２８ｂに取り外し可能に係合されている。
連結フラップ３２の係合機構３７は、主タブ３８ａ、３８ｂと、補助タブ４０ａ、４０ｂと、を備える。
【００３６】
主タブ３８ａ、３８ｂは、自由端側の輪郭形状が略Ｃ字状のタブである。
主タブ３８ａ、３８ｂの基端側は、連結フラップ３２に、主タブ用の折目線５０ａ、５０ｂ周りにヒンジ式に連結されている。
図１において、主タブ３８ａ、３８ｂは、カートン１４の頂壁パネル１８の指掛け用の開口２８ａ、２８ｂに配置されており、内折りされた形態にある。
【００３７】
補助タブ４０ａ、４０ｂは、自由端側の輪郭形状が略半円状のタブである。
補助タブ４０ａ、４０ｂの基端側は、主タブ３８ａ、３８ｂの基端側と、補助タブ用の折目線５２ａ、５２ｂ周りにヒンジ式に連結されている。すなわち、補助タブ４０ａ、４０ｂの折目線は、主タブ３８ａ、３８ｂの折目線と同一の仮想線Ｘａ−Ｘａ、Ｘｂ−Ｘｂ上に配置されている。
図１において、補助タブ４０ａ、４０ｂは、カートン１４の頂壁パネル１８の指掛け用の開口２８ａ、２８ｂに配置されている主タブ３８ａ、３８ｂと同様、内折りされた形態にあり、カートン１４内で内折りされた形態にある主タブ３８ａ、３８ｂを下方より覆っている。
【００３８】
本実施形態において、トート本体３４は、パネル状であり、トート本体用の折目線３６を介して連結フラップ３２に連結されている。
トート本体３４は、トート本体用の折目線３６に沿って折り曲げられている。これにより、吊り下げタグ１６は、連結フラップ３２がカートン１４の頂壁パネル１８の外面の一部に沿って配置されており、トート本体３４が側壁パネル２０の外面に沿って配置されている。
本実施形態では、連結フラップ３２にパネル状のトート本体３４を連結することにより、広告パネルを形成している。
【００３９】
本実施形態によれば、カートン１４の頂壁パネル１８の指掛け用の開口２８ａ、２８ｂに吊り下げデバイス１６の係合機構３７を係合することにより、カートン１４に吊り下げデバイス１６を容易に追加することができる。
【００４０】
特に、本実施形態によれば、吊り下げデバイス１６のトート本体３４をカートン１４の側壁パネル２０の外面に沿って配置しているので、吊り下げデバイス１６により、側壁パネル２０に表示された広告とは異なる広告を提供することができる。
【００４１】
吊り下げタグ１６は、カートン１４の頂壁パネル１８の指掛け用の開口２８ａ、２８ｂに取り外し可能に取り付けられている。
ここで、吊り下げデバイス１６は、主タブ３８ａ用の折目線と補助タブ４０ａ用の折目線とを同一の直線上に配置するとともに、主タブ３８ｂ用の折目線と補助タブ４０ｂ用の折目線とを同一の直線上に配置することとしたので、一の吊り下げデバイス１６を、外れやすくする又は外れにくくすることができる。
すなわち、吊り下げデバイス１６によれば、持ち運びの際などに、補助タブ４０ａ、４０ｂが内折りされた形態にあるときに、吊り下げデバイス１６をカートン１４から外れにくくすることができる。
一方、吊り下げデバイス１６によれば、ビール缶１２を取り出すためにカートン１４を開封する際などに、補助タブ４０ａ、４０ｂが外折りされた形態にあるときに、吊り下げデバイス１６をカートン１４から外れやすくすることができる。これにより、使用者は、より少ない痛みで吊り下げデバイス１６を取り扱うことができる。
【００４２】
＜吊り下げデバイス＞
以下、吊り下げデバイス１６について、より具体的に説明する。
図２には図１に示した吊り下げデバイス１６を展開した形態が示されている。
係合機構３７は、主タブ３８ａ、３８ｂと、補助タブ４０ａ、４０ｂと、を備える。
【００４３】
主タブ３８ａ、３８ｂは、自由端側の輪郭形状が略Ｃ字状のタブである。
主タブ３８ａは、主タブ用の折目線５０ａから、図２中、−Ｙ方向に延在している。
主タブ３８ｂは、主タブ用の折目線５０ｂから、主タブ３８ａが延在している方向（図２中、−Ｙ方向）とは反対方向（図２中、＋Ｙ方向）に延在している。
【００４４】
主タブ３８ａの基端側は、主タブ用の折目線５０ａを介して、連結フラップ３２に連結されている。
主タブ３８ｂの基端側は、主タブ用の折目線５０ｂを介して、連結フラップ３２に連結されている。
【００４５】
主タブ３８ａ、３８ｂを内折りにする際、主タブ３８ａ、３８ｂの自由端側が、主タブ用の折目線５０ａ、５０ｂの周りに回動する。
主タブ３８ａ、３８ｂは、主タブ用の折目線５０ａ、５０ｂに沿って内折りされた形態にあるときに、主タブ３８ａ、３８ｂの基端が、カートンの頂壁パネルに形成された指掛け用の開口の縁に接触し、主タブ３８ａ、３８ｂの自由端が、カートン内で、頂壁パネルの指掛け用の開口の縁よりも内側に位置する。
一方、主タブ３８ａ、３８ｂを外折りにする際、主タブ３８ａ、３８ｂの自由端側が、主タブ用の折目線５０ａ、５０ｂの周りに、内折方向とは反対方向に回動する。
【００４６】
本発明の係合機構３７は、連結フラップ３２から少なくとも部分的に打ち抜かれている。本実施形態では、補助タブ４０ａ、４０ｂは、略半円状の切れ目により画定された略半円状のタブである。すなわち、補助タブ４０ａ、４０ｂは、補助タブ４０ａ、４０ｂの自由端側が、連結フラップ３２から打ち抜かれている。
【００４７】
補助タブ４０ａ、４０ｂは、補助タブ４０ａ、４０ｂの基端側が、主タブ３８ａ、３８ｂの基端側と連結されている。
すなわち、補助タブ４０ａは、補助タブ４０ａの基端側が、補助タブ用の折目線５２ａを介して、主タブ３８ａの基端側に連結されている。
補助タブ４０ｂは、補助タブ４０ｂの基端側が、補助タブ用の折目線５２ｂを介して、主タブ３８ｂの基端側に連結されている。
補助タブ４０ａ、４０ｂを内折りにする際、補助タブ４０ａ、４０ｂの自由端側が、補助タブ用の折目線５２ａ、５２ｂの周りに回動する。
補助タブ４０ａ、４０ｂは、補助タブ用の折目線５２ａ、５２ｂに沿って、内折りされた形態にあるときに、補助タブ４０ａ、４０ｂの基端（折目線）が、カートンの頂壁パネルに形成された指掛け用の開口の縁に接触する主タブの基端（折目線）と同一の直線上に位置し、補助タブ４０ａ、４０ｂの自由端側が、カートン内で、頂壁パネルの指掛け用の開口の縁よりも内側に位置する主タブ３８ａ、３８ｂの自由端側に下から重なる。
【００４８】
すなわち、主タブ用の折目線５０ａは、補助タブ用の折目線５２ａと同一の直線（図２中、仮想線Ｘａ−Ｘａ）上に整列されている。主タブ用の折目線５０ｂは、補助タブ用の折目線５２ｂと同一の直線（図２中、仮想線Ｘｂ−Ｘｂ）上に整列されている。
本実施形態においては、本発明の仮想線として、仮想線Ｘａ−Ｘａと、仮想線Ｘｂ−Ｘｂとを用いている。
本実施形態において、仮想線Ｘａ−Ｘａとは、主タブ用の折目線５０ａ及び補助タブ用の折目線５２ａを通る仮想線をいう。
本実施形態において、仮想線Ｘｂ−Ｘｂとは、主タブ用の折目線５０ｂ及び補助タブ用の折目線５２ｂを通る仮想線Ｘｂ−Ｘｂをいう。
【００４９】
本発明の係合機構の各補助タブは、対応する主タブから、互いに向かい合う方向に延在している。
本実施形態では、図２において、補助タブ４０ａは、補助タブ用の折目線５２ａ（主タブ用の折目線５０ａ）を間に挟んで、主タブ３８ａの反対方向（図２中、＋Ｙ方向）に延在している。
補助タブ４０ｂは、補助タブ用の折目線５２ｂ（主タブ用の折目線５０ｂ）を間に挟んで、主タブ３８ｂの反対方向（図２中、−Ｙ方向）に延在している。
このように本実施形態では、吊り下げデバイス１６が展開された形態にあるときに、補助タブ４０ａの自由端側と補助タブ４０ｂの自由端側とは、互いに向かい合う方向に延在している。
【００５０】
トート本体３２は、トート本体用の折目線３６に沿って、連結フラップ３４に連結されている。
主タブ用の折目線５０ａ、５０ｂが延びる方向は、図２中、Ｘ方向である。補助タブ用の折目線５２ａ、５２ｂが延びる方向は、図２中、Ｘ方向である。
これに対し、トート本体用の折目線３６が延びる方向は、図２中、Ｙ方向である。
すなわち、主タブ用の折目線５０ａ及び補助タブ用の折目線５２ａを通る仮想線Ｘａ−Ｘａは、トート本体用の折目線３６が延びる方向（図２中、Ｙ方向）に対して、直角な方向（図２中、Ｘ方向）に延びるように配置されている。
【００５１】
主タブ３８ａには、主タブ用の折目線５０ａとの組み合わせにより、略三角形の折目線を形成する折目線５４ａが形成されている。折目線５４ａにより、主タブ３８ａには、内折り可能な舌状部５６ａ、５８ａが形成されている。内折り可能な舌状部５６ａ、５８ａは、主タブ３８ａが内折りされた形態にあるときに、カートン内のビール缶に沿うように構成されている。
【００５２】
主タブ３８ａと同様、主タブ３８ｂにも、主タブ用の折目線５０ｂとの組み合わせにより、略三角形の折目線を形成する折目線５４ｂが形成されている。折目線５４ｂにより、主タブ３８ｂには、内折り可能な舌状部５６ｂ、５８ｂが形成されている。内折り可能な舌状部５６ｂ、５８ｂは、主タブ３８ｂが内折りされた形態にあるときに、カートン内のビール缶に沿うように構成されている。
【００５３】
本実施形態にかかる吊り下げパッケージ１６は概略以上のように構成され、以下にその作用について説明する。
【００５４】
図３には、本実施形態にかかる吊り下げデバイス１６がカートン１４にしっかり取り付けられた形態が示されている。
本実施形態にかかる吊り下げデバイス１６がカートン１４にしっかり取り付けられた形態にあるときに、主タブ３８ａ、３８ｂ及び補助タブ４０ａ、４０ｂは、図３に示されるような内折りの形態にある。
【００５５】
より具体的には、吊り下げデバイス１６の主タブ３８ａ、３８ｂが図３に示されるような内折りの形態にあるときに、主タブ３８ａ、３８ｂの基端が、指掛け用の開口２８ａ、２８ｂの縁に、ぴったり接触している。特に、主タブ３８ａ、３８ｂの基端は、指掛け用の開口２８の縁のうちの、領域Ａ１、Ａ２、Ａ３にて強く接触している。
【００５６】
吊り下げデバイス１６の補助タブ４０ａ、４０ｂが図３に示されるような内折りの形態にあるときに、補助タブ４０ａ、４０ｂは、上記した主タブ３８ａ、３８ｂの内折り形態を確実に保持することができる。特に、補助タブ４０ａ、４０ｂは、指掛け用の開口２８ａ、２８ｂの縁のうちの、領域Ａ３と主タブ３８ａ、３８ｂの基部とを、より強く接触させている。
このように主タブ３８ａ、３８ｂ及び補助タブ４０ａ、４０ｂが内折りされた形態にあるときに、主タブ３８ａ、３８ｂは、補助タブ４０ａ、４０ｂにより、指掛け用の開口２８ａ、２８ｂの縁のうちの特に領域Ａ１、Ａ２、Ａ３に、より強く接触している。
これにより、主タブ３８ａ、３８ｂが内折りされた形態を、より確実に保持することができるので、頂壁パネル１８の指掛け用の開口２８ａ、２８ｂの縁に、主タブ３８ａ、３８ｂを、より確実に保持することができる。
【００５７】
このように吊り下げデバイス１６の主タブ３８ａ、３８ｂ及び補助タブ４０ａ、４０ｂが図３に示されるような内折りされた形態にあるときに、吊り下げデバイス１６が引っ張られても、吊り下げデバイス１６は、カートン１４の頂壁パネル１８から容易に外すことはできない。
【００５８】
次に、本実施形態にかかる吊り下げデバイス１６は、カートン１４から容易に取り外せる形態にすることができる。
【００５９】
図４には本実施形態にかかる吊り下げデバイス１６を、カートン１４から容易に取り外せる形態が示されている。
本実施形態にかかる吊り下げデバイス１６を、カートン１４から容易に取り外せる形態とするためには、内折りされた形態にあった補助タブ４０ａ、４０ｂを、図４に示されるような外折りされた形態にする。
【００６０】
補助タブ４０ａ、４０ｂを図４に示されるような外折りされた形態にすると、主タブ３８ａ、３８ｂの自由端側も、主タブ３８ａ、３８ｂの内折り形態が緩む方向に少し回動する。これにより、主タブ３８ａ、３８ｂの基端とカートン１４の頂壁パネル１８の指掛け用の開口２８ａ、２８ｂの領域Ａ１、Ａ２、Ａ３との強い接触状態が解除される。
【００６１】
このため、吊り下げデバイス１６の補助タブ４０ａ、４０ｂが図４に示されるような外折りされた形態にあるときに、吊り下げデバイス１６を引っ張ることにより、吊り下げデバイス１６の主タブ３８ａ、３８ｂを、カートン１４の頂壁パネル１８の指掛け用の開口２８ａ、２８ｂから容易に引き出すことができる。
このように、補助タブ４０ａ、４０ｂを外折りにすると、吊り下げデバイス１６をカートン１４から容易に取り外すことができる。
より具体的には、吊り下げデバイス１６の外れやすくなる効果、指掛け用の開口を持つときに、荷重が分散し折目線による痛みが軽減する効果、補助タブが外折りされた形態にあるときに補助タブは舌状体のようになるので、外折りされた形態にある補助タブをつかむことにより、吊り下げデバイスを外しやすくなる効果が得られる。
【００６２】
以上のように吊り下げデバイス１６の連結フラップ３２に略半円状の補助タブ４０、４０ｂを設けることにより、一の吊り下げデバイス１６で、外れにくくなる効果と、外れやすくなる効果とを両立することができる。
【００６３】
〔第二実施形態〕
＜パッケージ＞
図５には本発明の第二実施形態にかかる吊り下げデバイスを用いたパッケージの概略構成が示されている。なお、図１と対応する部分には符号１００を加えて示し説明を省略する。
【００６４】
第一実施形態では、吊り下げデバイスのトート本体をカートンの側壁パネルの外面に沿って設けた例について説明したが、本実施形態においては、トート本体１３４を、側壁パネル１２０の外面に沿って設けていない。すなわち、本実施形態において、トート本体１３４は、筒状構造を有するカートン１１４の開放端１３０を部分的に閉じている。
【００６５】
本実施形態によれば、吊り下げデバイス１１６をカートン１１４の開放端１３０に設けることとしたので、側壁パネル１２０に表示された広告に加えて、トート本体１３４による広告を追加することができる。このため、本実施形態によれば、第一実施形態と比較し、より多くの広告を表示することもできる。さらに、本実施形態によれば、トート本体１３４により、カートン１１４の開放端１３０近くに位置するビール缶１１２を保護することもできる。
【００６６】
＜吊り下げデバイス＞
以下、本発明の第二実施形態にかかる吊り下げデバイスについて、より具体的に説明する。なお、図２と対応する部分には符号１００を加えて示し説明を省略する。
図６には、図５に示した吊り下げデバイス１１６を展開した形態が示されている。
図６に示すトート本体１３４は、トート本体用の折目線１３６に沿って、連結フラップ１３２と連結されている。
【００６７】
本実施形態の仮想線は、トート本体用の折目線に対して、平行方向に配置されている。本実施形態において、主タブ用の折目線１５０ａ、１５０ｂが延びる方向は、図６中、Ｙ方向である。補助タブ用の折目線１５２ａ、１５２ｂが延びる方向も、図６中、Ｙ方向である。トート本体用の折目線１３６が延びる方向も、図６中、Ｙ方向である。主タブ用の折目線１５０ａ及び補助タブ用の折目線１５２ａを通る仮想線Ｙａ−Ｙａが延びる方向（図６中、Ｙ方向）は、トート本体用の折目線１３６が延びる方向（図６中、Ｙ方向）と平行である。主タブ用の折目線１５０ｂ及び補助タブ用の折目線１５２ｂを通る仮想線Ｙｂ−Ｙｂが延びる方向（図６中、Ｙ方向）も、トート本体用の折目線１３６が延びる方向（図６中、Ｙ方向）と平行である。
本実施形態においては、本発明の仮想線として、仮想線Ｙａ−Ｙａと、仮想線Ｙｂ−Ｙｂとを用いている。
本実施形態において、仮想線Ｙａ−Ｙａとは、主タブ用の折目線１５０ａ及び補助タブ用の折目線１５２ａを通る仮想線をいう。
本実施形態において、仮想線Ｙｂ−Ｙｂとは、主タブ用の折目線１５０ｂ及び補助タブ用の折目線１５２ｂを通る仮想線をいう。
【００６８】
本発明の係合機構は、連結フラップから、少なくとも部分的に打ち抜かれている。本実施形態において、主タブ１３８ａは、連結フラップ１３２において、略Ｃ字状の切れ目により画定されている。補助タブ１４０ａは、連結フラップ１３２において、略半円状の切れ目により画定されている。補助タブ１４０ｂは、連結フラップ１３２において、略半円状の切れ目により画定されている。
【００６９】
本実施形態によれば、第一実施形態と同様、主タブ用の折目線１５０ａと補助タブ用の折目線１５２ａとを連結フラップ１３２の同一の直線（図６中、仮想線Ｙａ−Ｙａ）上に設けるとともに、主タブ用の折目線１５０ｂと補助タブ用の折目線１５２ｂとを連結フラップ１３２の同一の直線線（図６中、仮想線Ｙｂ−Ｙｂ）上に設けることとしたので、吊り下げデバイス１１６をカートンの筒状構造の開放端に設けた場合であっても、一の吊り下げデバイス１１６を、外れやすくする又は外れにくくすることができる。
【００７０】
＜ブランク＞
図７には本実施形態にかかるカートンの展開された形態が示されている。
なお、図１と対応する部分には符号２００を加えて示し説明を省略する。
【００７１】
図７に示すブランク２６０は、６本のビール缶を収容するカートンを構成するための板紙製ブランクである。
ブランク２６０は、ビール缶の頂面を覆うことになる頂壁パネル２１８と、ビール缶の側面を覆うことになる側壁パネル２２０、２２２と、ビール缶の底面を覆うことになる底壁パネル２２４ａ、２２４ｂと、を備える。
頂壁パネル２１８と側壁パネル２２０とは、折目線２６２により連結されている。
頂壁パネル２１８と側壁パネル２２２とは、折目線２６４により連結されている。
側壁パネル２２０と底壁パネル２２４ａとは、折目線２６６により連結されている。
側壁パネル２２２と底壁パネル２２４ｂとは、折目線２６８により連結されている。
【００７２】
底壁パネル２２４ａには、接着剤が塗布される、のりしろ２６９が設けられている。のりしろ２６９に塗布された接着剤により、底壁パネル２２４ａと底壁パネル２２４ｂとを固定することで、筒状構造が開かないようになる。このようにして筒状構造を有するカートンを構成することができる。
なお、底壁パネル２２４ａ及び底壁パネル２２４ｂにはそれぞれ、開口２７０ａ及び開口２７０ｂが形成されている。これにより、カートンが構成された形態にあるときに、使用者は、開口２７０ａ及び開口２７０ｂを介して、被包装体であるビール缶の底面（特にビール缶の底面に印字された情報）を良好に観察することができる。
【００７３】
ブランク２６０の頂壁パネル２１８には、カートンの指掛け用の開口を形成するための指掛け用のタグ２７２ａ、２７２ｂが設けられている。
具体的には、ブランク２６０の指掛け用のタグ２７２ａ、２７２ｂの自由端側は、頂壁パネル２１８において、略Ｃ字状の切れ目２７６ａ、２７６ｂにより画定されている。
指掛け用のタグ２７２ａ、２７２ｂの基端側は、折目線２７４ａ、２７４ｂを介して、ブランク２６０の頂壁パネル２１８に連結されている。
ブランク２６０の指掛け用のタグ２７２ａ、２７２ｂを、折目線２７４ａ，２７４ｂに沿って内側に押し込むことにより、頂壁パネル２１８に、指掛け用の開口を形成することができる。
【００７４】
頂壁パネル２１８において、指掛け用のタグ２７２ａ、２７２ｂは、隣接するビール缶の側壁とビール缶の側壁との間の空間に位置するように、設けられている。これにより、使用者は指を頂壁パネル２１８に形成された指掛け用の開口を介して頂壁パネル２１８の内側にしっかりと引っ掛けることができるので、使用者はビール缶が収容されたカートンをしっかりと把持することができる。
【００７５】
指掛け用のタグ２７２ａ、２７２ｂには、三角の折目線２７８ａ、２７８ｂが形成されている。これにより、指掛け用のタグ２７２ａ、２７２ｂが三角の折目線２７８ａ、２７８ｂに沿って内折りされた形態にあるときに、使用者が指をカートンの指掛け用の開口に入れてカートンを持ち上げると、指掛け用のタグ２７２ａ、２７２ｂの三角の折目線２７８ａ、２７８ｂがビール缶の側面に沿うようになるので、使用者はカートンを、より持ちやすくなる。
【００７６】
頂壁パネル２１８には、開封用のミシン目２８０が形成されている。カートンを開封する際に、頂壁パネル２１８を上方に持ち上げると、頂壁パネル２１８の中央部は、開封用のミシン目２８０に沿って破断し、カートンが開封される。これにより、カートンに収容されていたビール缶をまとめて取り出すことができる。
【００７７】
以上のように本実施形態にかかるパッケージによれば、本実施形態にかかる吊り下げデバイスを備えることとしたので、以下の利点も有する。
すなわち、一般的な吊り下げデバイスでは、誰かが吊り下げデバイスをカートンから取り外すことが心配されるものの、本実施形態にかかる吊り下げデバイスでは、一旦、カートンに吊り下げデバイスを取り付け、補助タブを内折りにすると、カートンから本実施形態の吊り下げデバイスを取り外しにくくなる。
また、一般的な吊り下げデバイスでは、カートンから吊り下げデバイスを取り外しにくくなることがあるものの、本実施形態にかかる吊り下げデバイスでは、補助タブを外折りにすると、吊り下げデバイスがカートンから取り外しやすくなる。
【００７８】
＜変形例＞
なお、本発明は前記実施形態に限定されるものではなく、発明の要旨の範囲内であれば、種々の変形が可能である。
【００７９】
吊り下げデバイスのトート本体は、吊り下げデバイス、商品のバッグ、販売促進用のアイテム、クーポンなどを取り付け可能なサポートティングバックパネル（supporting back panel）、任意のスタイルのカートンまたはボックス（例えば、バスケット型キャリア、カップキャリア、エンドサイドカートン（end-side carton）、ラップアラウンドカートン、トップ係合キャリアからなる群より選択された１つ又は複数の要素とすることができるが、これらの要素に限定されない。
【００８０】
より具体的には、第一実施形態及び第二実施形態では、吊り下げデバイスのトート本体として、パネルを用いた例について説明したが、パネルに代えて、図８に示されるような箱体を用いることも好ましい。
【００８１】
図８には本発明の第三実施形態にかかる吊り下げデバイスを用いたパッケージの概略構成が示されている。なお、図１と対応する部分には符号２００を加えて示し説明を省略する。
同図に示す吊り下げデバイス２１６は、トート本体２３４として、景品などの追加物を収容する箱体を備える。
トート本体２３４としての箱体は、トート本体用の折目線２３６を介して、連結フラップ２３２に連結されている。
本実施形態によれば、第一実施形態及び第二実施形態と同様、吊り下げデバイス２１６を備えることとしたので、補助タブ２４０ａ、２４０ｂにより、一の吊り下げデバイス２１６を、外れやすくする又は外れにくくすることができる。
【００８２】
さらに、本実施形態によれば、吊り下げデバイスのトート本体として、第一実施形態及び第二実施形態に記載の広告パネルに代えて、箱体を設けることとしたので、使用者に、箱体に表示された広告情報を提供することができるとともに、箱体に収容された景品などの追加物を容易に提供することもできる。
【００８３】
前記実施形態では、被包装体としてビール缶を用いた例について説明したが、本発明はこれに限定されるものではなく、瓶、ペットボトルなどの他の材質の被包装体を用いることができる。
【００８４】
前記実施形態では、円柱体のビール缶を用いた例について説明したが、本発明はこれに限定されるものではなく、円柱体以外の形状を有する被包装体を用いることができる。
【００８５】
前記実施形態では、ビールが充填されたビール缶を用いた例について説明したが、本発明はこれに限定されるものではなく、ジュースなどの飲料、食料品、化粧品、医薬品、生活製品、自動車用品、農業用品、建築用品などの内容物が充填された被包装体であってもよい。
【００８６】
前記実施形態では、カートンに６本のビール缶を収容した例について説明したが、本発明はこれに限定されるものではなく、６本以外の被収容体を収容することができる。
【００８７】
前記実施形態では、カートンに６本のビール缶を３×２の配列で収容した例について説明したが、本発明はこれに限定されるものではなく、３×２以外の配列であってもよい。
【００８８】
前記実施形態では、包装素材として板紙を用いた例について説明したが、本発明はこれに限定されるものではなく、紙と樹脂の複合材料或いは積層材料などの、所望の可撓性、剛性を有する種々のシートを用いることもできる。
【符号の説明】
【００８９】
１０、１００、２００  …  パッケージ
１２、１１２、２１２  …  ビール缶（被包装体）
１４、１１４、２１４  …  カートン（包装体）
１６、１１６、２１６  …  吊り下げデバイス
１８、１１８、２１８  …  頂壁パネル（壁パネル）
２８ａ、２８ｂ、１２８ａ、１２８ｂ、２２８ａ、２２８ｂ  …  指掛け用の開口
３２、１３２、２３２  …  連結フラップ
３４、１３４、２３４  …  トート本体
３６、１３６、２３６  …  トート本体用の折目線
３７、１３７、２３７  …  係合機構
３８ａ、３８ｂ、１３８ａ、１３８ｂ、２３８ａ、２３８ｂ  …  主タブ（係合機構）
４０ａ、４０ｂ、１４０ａ、１４０ｂ、２４０ａ、２４０ｂ  …  補助タブ（係合機構）
５０ａ、５０ｂ，１５０ａ、１５０ｂ、２５０ａ、２５０ｂ  …  主タブ用の折目線
５２ａ、５２ｂ，１５２ａ、１５２ｂ、２５２ａ、２５０ｂ  …  補助タブ用の折目線
【図１】
2020083447.tif 000003
【図２】
2020083447.tif 000004
【図３】
2020083447.tif 000005
【図４】
2020083447.tif 000006
【図５】
2020083447.tif 000007
【図６】
2020083447.tif 000008
【図７】
2020083447.tif 000009
【図８】
2020083447.tif 000010